(57)【要約】【課題】スタック投写を行うプロジェクターシステムで、一台のプロジェクターが故障した場合に他のプロジェクターの投写範囲、投写位置を変更して画像を投写する。【解決手段】プロジェクターシステムの少なくとも一つのプロジェクターは、光源から射出された光を前記画像情報に応じて変調して投写面に投写する画像投写手段と、投写面上の投写位置を調整する投写位置調整手段と、を備え、他のプロジェクターの異常を検知したとき（ステップＳ１０１）、異常が発生したプロジェクターに対応する投写位置情報に基づき投写位置を変更し（ステップＳ１０５）、異常が発生したプロジェクターに対応する投写範囲情報に基づき投写範囲を変更する（ステップＳ１０６）。【選択図】図７
2014002343.tif 000002
【特許請求の範囲】
【請求項１】
複数のプロジェクターを有し、
前記複数のプロジェクターが画像情報のそれぞれ異なる部分領域を投写することで、投写面に一つの画像を形成するよう構成されたプロジェクターシステムであって、
前記複数のプロジェクターのうち少なくとも一つのプロジェクターは、
光源から射出された光を前記画像情報に応じて変調して前記投写面に投写する画像投写手段と、
前記投写面上の投写位置を調整する投写位置調整手段と、
を備え、
前記複数のプロジェクターのうち他のプロジェクターに異常が発生した場合に、前記投写位置調整手段が前記投写位置を変更する、
ことを特徴とする、プロジェクターシステム。
【請求項２】
請求項１に記載のプロジェクターシステムであって、
前記少なくとも一つのプロジェクターは、
前記画像投写手段に投写させる前記画像情報の中の投写範囲を設定する投写範囲設定手段、
をさらに備え、
前記他のプロジェクターに異常が発生した場合に、前記投写範囲設定手段が前記投写範囲を変更する、
ことを特徴とする、プロジェクターシステム。
【請求項３】
請求項１または２に記載のプロジェクターシステムであって、
前記少なくとも一つのプロジェクターは、
前記他のプロジェクターに異常が発生した旨の通知を受け取る通信手段、
をさらに備えたことを特徴とする、プロジェクターシステム。
【請求項４】
請求項１に記載のプロジェクターシステムであって、
前記複数のプロジェクターに、前記画像情報のそれぞれ異なる部分領域の画像信号を供給する画像信号供給手段、
をさらに有し、
前記画像信号供給手段は、前記他のプロジェクターに異常が発生した場合に、
前記少なくとも一つのプロジェクターに供給する前記部分領域を変更する、
ことを特徴とする、プロジェクターシステム。
【請求項５】
複数のプロジェクターを有し、
前記複数のプロジェクターが画像情報のそれぞれ異なる部分領域を投写することで、投写面に一つの画像を形成するよう構成されたプロジェクターシステムの制御方法であって、
前記複数のプロジェクターのうち少なくとも一つのプロジェクターは、
前記複数のプロジェクターのうち他のプロジェクターに異常が発生した場合に、前記投写面上の投写位置を変更する、投写位置変更ステップ、
を有することを特徴とする、プロジェクターシステムの制御方法。
【請求項６】
他のプロジェクターと、画像情報のそれぞれ異なる部分領域を投写することで、投写面に一つの画像を形成するプロジェクターであって、
光源から射出された光を前記画像情報に応じて変調して前記投写面に投写する画像投写手段と、
前記投写面上の投写位置を調整する投写位置調整手段と、
を備え、
前記他のプロジェクターに異常が発生した場合に、前記投写位置調整手段が前記投写位置を変更する、
ことを特徴とする、プロジェクター。
【発明の詳細な説明】
【技術分野】
【０００１】
本発明は、複数のプロジェクターで一つの画像をスタック投写するプロジェクターシステム、プロジェクターシステムの制御方法、及びプロジェクターに関する。
【背景技術】
【０００２】
複数のプロジェクターそれぞれが、画像情報の異なる領域を投写することにより一つの大きな画像を投写するスタック投写システムがデモンストレーションなどに使われている。例えば縦３台、横３台からなる計９台のプロジェクターを使うことにより、通常の９倍の大きさの画像を投写することができる。このとき、投写しているいずれか１台のプロジェクターに異常が発生して投写不能になった場合、投写する画像の一部が欠落してしまう。
【０００３】
下記に示す特許文献１には、異常が発生した場合に報知するプロジェクターが開示されている。このようなプロジェクターを使えば、プロジェクターに異常が発生したことを使用者が知ることができる。
【先行技術文献】
【特許文献】
【０００４】
【特許文献１】特開２００７−２２６００６号公報
【発明の概要】
【発明が解決しようとする課題】
【０００５】
しかし、特許文献１のプロジェクターでは異常が発生したことを使用者に報知することはできるものの、異常発生したプロジェクターを修理し、再度画像を投写できるようになるまで、スタック投写の画像の一部が欠落した状態のままで、全領域を投写することができないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターシステムは、複数のプロジェクターを有し、前記複数のプロジェクターが画像情報のそれぞれ異なる部分領域を投写することで、投写面に一つの画像を形成するよう構成されたプロジェクターシステムであって、前記複数のプロジェクターのうち少なくとも一つのプロジェクターは、光源から射出された光を前記画像情報に応じて変調して前記投写面に投写する画像投写手段と、前記投写面上の投写位置を調整する投写位置調整手段と、を備え、前記複数のプロジェクターのうち他のプロジェクターに異常が発生した場合に、前記投写位置調整手段が前記投写位置を変更する、ことを特徴とする。
【０００８】
本適用例によれば、複数のプロジェクターで投写して一つの画像を形成するプロジェクターシステムにおいて、少なくとも一つのプロジェクターが、他のプロジェクターに異常が発生した場合に投写位置を変更して投写を行う。例えば、画像の中央部分を投写しているプロジェクターが故障した場合に、周辺を投写していたプロジェクターの投写位置を変更して、故障したプロジェクターの代わりに中央部分を投写することにより、重要な中央部分の投写画像が欠落するのを防止することが可能となる。
【０００９】
［適用例２］上記適用例に記載のプロジェクターシステムにおいて、前記少なくとも一つのプロジェクターは、前記画像投写手段に投写させる前記画像情報の中の投写範囲を設定する投写範囲設定手段、をさらに備え、前記他のプロジェクターに異常が発生した場合に、前記投写範囲設定手段が前記投写範囲を変更する、ことを特徴とする。
【００１０】
本適用例によれば、少なくとも一つのプロジェクターが、他のプロジェクターに異常が発生した場合に、投写位置と投写範囲を変更して投写を行う。例えば、故障により投写不能になった他のプロジェクターの代わりに、少なくとも一つのプロジェクターが投写位置と投写範囲を変更して画像の投写を行い、投写画像の一部が欠落するのを防止することが可能となる。
【００１１】
［適用例３］上記適用例に記載のプロジェクターにおいて、前記少なくとも一つのプロジェクターは、前記他のプロジェクターに異常が発生した旨の通知を受け取る通信手段、をさらに備えたことを特徴とする。
【００１２】
本適用例によれば、少なくとも一つのプロジェクターが、他のプロジェクターに異常が発生した旨の通知を受け取り、投写位置、投写範囲の変更を行うよう対処することが可能となる。
【００１３】
［適用例４］上記適用例１に記載のプロジェクターにおいて、前記複数のプロジェクターに、前記画像情報のそれぞれ異なる部分領域の画像信号を供給する画像信号供給手段、をさらに有し、前記画像信号供給手段は、前記他のプロジェクターに異常が発生した場合に、前記少なくとも一つのプロジェクターに供給する前記部分領域を変更する、ことを特徴とする。
【００１４】
本適用例によれば、画像情報のそれぞれ異なる部分領域の画像信号を供給する画像信号供給手段により、少なくとも一つのプロジェクターに供給する画像の部分領域を変更するので、他のプロジェクターに異常が発生した場合に投写画像の一部が欠落するのを防止することが可能となる。
【００１５】
［適用例５］本適用例に係るプロジェクターシステムの制御方法は、複数のプロジェクターを有し、前記複数のプロジェクターが画像情報のそれぞれ異なる部分領域を投写することで、投写面に一つの画像を形成するよう構成されたプロジェクターシステムの制御方法であって、前記複数のプロジェクターのうち少なくとも一つのプロジェクターは、前記複数のプロジェクターのうち他のプロジェクターに異常が発生した場合に、前記投写面上の投写位置を変更する、投写位置変更ステップ、を有することを特徴とする。
【００１６】
本適用例によれば、複数のプロジェクターで投写して、投写面に一つの画像を形成するプロジェクターシステムにおいて、少なくとも一つのプロジェクターが、他のプロジェクターに異常が発生した場合に投写位置を変更して投写を行う。例えば、画像の中央部分を投写しているプロジェクターが故障した場合に、周辺を投写していたプロジェクターの投写位置を変更して、故障したプロジェクターの代わりに中央部分を投写することにより、重要な中央部分の投写画像が欠落するのを防止することが可能となる。
【００１７】
［適用例６］本適用例に係るプロジェクターは、他のプロジェクターと、画像情報のそれぞれ異なる部分領域を投写することで、投写面に一つの画像を形成するプロジェクターであって、光源から射出された光を前記画像情報に応じて変調して前記投写面に投写する画像投写手段と、前記投写面上の投写位置を調整する投写位置調整手段と、を備え、前記他のプロジェクターに異常が発生した場合に、前記投写位置調整手段が前記投写位置を変更する、ことを特徴とする。
【００１８】
本適用例によれば、他のプロジェクターと投写して一つの画像を形成するプロジェクターにおいて、他のプロジェクターに異常が発生した場合に投写位置を変更して投写を行うので、他のプロジェクターが故障した場合に投写位置を変更して、代わりに投写することが可能となる。
【図面の簡単な説明】
【００１９】
【図１】プロジェクターシステムのスタック投写状態を示す図。
【図２】プロジェクターシステムのスタック投写した画面を表す正面図であり、（ａ）は１台のプロジェクターに異常が発生し、投写不能になった投写状態を示し、（ｂ）は異常が発生していないプロジェクターの画像投写範囲、投写位置を変更した投写状態を示す。
【図３】画像情報の投写範囲を示す図であり、（ａ）は９台のプロジェクターで１つの画像を投写する場合、（ｂ）は４台のプロジェクターで１つの画像を投写する場合の投写範囲を示す。
【図４】プロジェクターの画像投写位置を示す図。
【図５】正常投写時、異常発生時の各プロジェクターの投写範囲、および投写位置を示す図。
【図６】プロジェクターの回路構成を示すブロック図。
【図７】プロジェクターの動作を示すフローチャートであり、（ａ）は他のプロジェクターの異常を検知したとき、（ｂ）は自身に異常が発生したときの動作を示す。
【図８】変形例１のプロジェクターシステムの投写画像を示す図。
【発明を実施するための形態】
【００２０】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２１】
（第１実施形態）
図１は本実施形態のプロジェクターシステム１００のスタック投写状態を示す図である。図１に示すように、プロジェクターシステム１００は９つのプロジェクター１０１〜１０９を備え、それぞれのプロジェクター１０１〜１０９には外部映像機器Ｖ１から画像信号供給手段１２０を介して画像情報が供給され、それぞれのプロジェクター１０１〜１０９が分割された画像情報の異なる範囲を投写することでスクリーンＳＣ上に１つの画像を形成する。図１のスクリーンＳＣ上に示す点線は、プロジェクター１０１〜１０９が投写するそれぞれの領域を示すためのもので、画像に含まれたり実際に見えたりするものではない。
【００２２】
図２は本実施形態のプロジェクターシステム１００がスタック投写した画面を示す正面図であり、（ａ）はプロジェクター（ＰＪ）１０５に異常が発生し、投写不能になった場合の投写状態を示し、（ｂ）は異常が発生していないプロジェクターの画像投写範囲、投写位置を変更した場合の投写状態を示す。
図２は、投写面の縦３×横３からなる９画面の領域ごとに、プロジェクター（ＰＪ）１０１〜１０９が画像を投写しており、領域には、投写しているプロジェクターの符号（ＰＪ１０１〜ＰＪ１０９）を示している。
図２（ａ）に示すように、投写しているＰＪ１０１〜ＰＪ１０９のうち、中央の領域を投写しているＰＪ１０５に異常が発生し、投写不能になった場合、まずＰＪ１０５の図中右隣の領域を投写しているＰＪ１０６の画像投写位置を１画面（領域）分左にシフトして、中央の領域を投写する。
次に、図２（ｂ）に示すように、ＰＪ１０１、ＰＪ１０２，ＰＪ１０４，ＰＪ１０６の４台のプロジェクターにより１つの画像情報を４分割して投写する。このとき、残りのＰＪ１０３、ＰＪ１０７，ＰＪ１０８，ＰＪ１０９は消灯して画像を投写しない。つまり、異常発生前は９台のプロジェクターで投写していた画像を４台のプロジェクターで投写することになるので、画像サイズは４／９になるが、投写画像の欠落はなくなる。
【００２３】
次に、本実施形態のプロジェクターシステムの画像投写範囲、投写位置情報の設定手順を図３、図４、および図５を用いて説明する。図３は画像の投写範囲を示す図であり、（ａ）は９台のプロジェクターで１つの画像を投写する場合、（ｂ）は４台のプロジェクターで１つの画像を投写する場合の投写範囲を示す。
図３（ａ）に示すように、９台のプロジェクターで１つの画像を投写する場合、画像を９分割し、それぞれの画像投写範囲を左上からＡａ、Ａｂ、Ａｃ、Ａｄ，Ａｅ，Ａｆ，Ａｇ，Ａｈ，Ａｉとする。図３（ｂ）に示すように、４台のプロジェクターで１つの画像を投写する場合、画像を４分割し、それぞれの画像投写範囲を左上からＢａ、Ｂｂ、Ｂｃ、Ｂｄとする。
【００２４】
図４は画像の投写位置を示す図である。図４に示すように、それぞれのプロジェクター（ＰＪ）１０１〜１０９が正面位置に投写する位置をＣ，左に１画面分シフトした位置をＬとする。
【００２５】
図５はＰＪ１０１〜ＰＪ１０９それぞれの画像投写範囲、画像投写位置を示す図であり、図３の投写範囲、図４の投写位置と対応している。例えば「Ａａ−Ｃ」は、画像を９分割した左上の範囲Ａａをプロジェクターの正面位置Ｃに投写することを示す。なお、「Ｏｆｆ」はプロジェクターの光源を消灯し、画像を投写しない状態を示す。
図５に示すように、異常が発生していない場合、ＰＪ１０１〜ＰＪ１０９はそれぞれＡａ〜Ａｉの投写範囲を正面位置Ｃに投写している。次に、ＰＪ１０１に異常が発生した場合、ＰＪ１０１は画像を投写できないのでＯｆｆにし、ＰＪ１０２がＢａの範囲の画像を１画面分左の位置に投写し、ＰＪ１０３がＢｂの範囲の画像を１画面分左の位置に投写し、ＰＪ１０４がＢｃの範囲の画像を正面位置Ｃに投写し、ＰＪ１０５がＢｄの範囲の画像を正面位置Ｃに投写し、ＰＪ１０６〜ＰＪ１０９はＯｆｆする。つまり、ＰＪ１０２，ＰＪ１０３，ＰＪ１０４，ＰＪ１０５の４台のプロジェクターで１つの画像を投写する。
【００２６】
なお、図５では９台のうちいずれかのプロジェクターに異常が発生した場合に４台のプロジェクターで画像情報を投写する設定を示しているが、例えばＰＪ１０５に異常が発生した場合に、ＰＪ１０６がＰＪ１０５の代わりにＡｅの領域を投写するようにして８台のプロジェクターで画像情報を投写してもよい。これにより、画像全体の大きさを維持し、重要な中央部分の投写画像の欠落を防ぐことができる。
また、図５に示す画像投写範囲が、後述する投写範囲情報２１ａに、画像投写位置が投写位置情報２１ｂにそれぞれ保存される。
【００２７】
図６は本実施形態のプロジェクターシステム１００のうちの一つのプロジェクター１０１の回路構成を示すブロック図である。
図６に示すように、プロジェクター１０１は、画像投写手段１０、台形歪補正手段１５、ＯＳＤ処理手段１６、画像信号処理手段１７、画像信号入力手段１８、制御手段２０、記憶手段２１、入力操作手段２３、光源制御手段２５、レンズシフト制御手段２８、異常検知手段２９、電源端子３０、電源部３１、通信手段４０等で構成されており、これらは図示しないプロジェクター１０１の筐体の内部に収容されている。
【００２８】
画像投写手段１０は、光源１１、光変調装置としての３つの液晶ライトバルブ１２（１２Ｒ，１２Ｇ，１２Ｂ）、投写光学系としての投写レンズ１３、投写レンズ１３の位置を調整するためのレンズシフト手段１３１、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。
【００３１】
このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００３２】
本実施形態では、光源１１として光源ランプ１１ａを用いて投写するプロジェクター１０１を例示したが、本発明は光源としてＬＥＤ（Light Emitting Diode）光源やレーザー光源などを用いて投写するプロジェクターにも適用することができる。
【００３３】
なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３４】
レンズシフト手段１３１は、投写レンズ１３の位置を上下方向または左右方向に移動（以下、レンズシフトという）させるための圧電モーター等が設けられており、レンズシフト制御手段２８は、後述する動作により、制御手段２０の指示に基づきレンズシフト手段１３１の圧電モーターを駆動するための駆動信号を生成している。
レンズシフト制御手段２８からの駆動信号で圧電モーターを駆動させることにより、投写レンズ１３を所定の移動量だけ上下方向または左右方向に移動させて、スクリーンＳＣ上に投写される投写画像の投写位置を上下または左右に調整する。なお、レンズシフト手段１３１、およびレンズシフト制御手段２８が本実施形態における投写位置調整手段に相当する。
【００３５】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１０１の動作を統括制御する。つまり、制御手段２０は、記憶手段２１とともにコンピューターとして機能する。
【００３６】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１０１の動作を制御するための制御プログラムや、プロジェクター１０１の動作条件等を規定する各種設定データ等が記憶されている。記憶手段２１には設定データとして、画像情報の投写範囲を示す投写範囲情報２１ａと画像のスクリーンＳＣ上での投写位置を示す投写位置情報２１ｂが保存される。
【００３７】
入力操作手段２３は、プロジェクター１０１が、ユーザーからの入力操作を受け付けるものであり、ユーザーがプロジェクター１０１に対して各種指示を行うための複数の操作キーを備えており、プロジェクター１０１の本体筐体外面に備えられる本体キーまたは、遠隔操作で入力操作を行うリモートコントローラー（リモコン）で構成させる。
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー、等がある。
【００３８】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３９】
画像信号入力手段１８は、上述したように複数の画像入力端子を備えており、各画像入力端子には、ビデオ再生装置やパーソナルコンピューター等、外部の画像出力装置から、図示しないケーブル、又は通信機器などを介して画像情報が入力される。
【００４０】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。また、画像信号処理手段１７は本実施形態における投写範囲設定手段に相当し、後述する投写範囲情報２１ａに基づき、入力される画像情報の指定範囲を変換する。
【００４１】
本実施形態において、画像信号供給手段１２０により外部の画像出力装置からの画像信号をプロジェクター１０１〜１０９それぞれに画像情報の異なる部分領域を供給するようにしてもよい。この場合、画像信号供給手段１２０が投写範囲設定手段として動作する。
【００４２】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、台形歪補正手段１５に出力される。
なお、制御手段２０からＯＳＤ画像を重畳する旨の指示がない場合には、ＯＳＤ処理手段１６は、画像信号処理手段１７から入力される画像情報を、そのまま台形歪補正手段１５に出力する。
【００４３】
台形歪補正手段１５は、スクリーンＳＣの投写面に対してプロジェクター１０１を水平または垂直方向に傾けて投写（あおり投写）した場合、およびレンズシフトにより投写位置を調整した場合に生じる台形歪を補正するものであり、制御手段２０に指示された補正量に基づき、ＯＳＤ処理手段１６から入力される画像情報を補正し、液晶駆動手段１４に出力する。
【００４４】
液晶駆動手段１４は、台形歪補正手段１５から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００４５】
光源制御手段２５は、制御手段２０の指示に基づいて、光源１１に対する電力の供給と停止とを制御し、光源１１の点灯、及び消灯を切り替える。
【００４６】
電源部３１には、電源端子３０を介してＡＣ１００Ｖ等の電力が外部から供給される。電源部３１は、入力した電力（交流電力）を所定の直流電力に変換して、プロジェクター１０１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４７】
異常検知手段２９は、プロジェクター１０１に異常が発生したことを検知し、制御手段２０に通知する。
【００４８】
通信手段４０は、他のプロジェクターと通信し、プロジェクター１０１に異常が発生した旨を他のプロジェクターに通知し、また他のプロジェクターに異常が発生した旨の通知を受け取る。
【００４９】
本実施形態では、異常検知手段２９により異常発生を検知し、通信手段４０により他のプロジェクターに異常が発生した旨を通知しているが、図示しない撮像手段を使って投写画像全体を撮像し、プロジェクター１０１、及び他のプロジェクターに異常が発生したことを検知するようにしてもよい。
【００５０】
次に、本実施形態のプロジェクターシステム１００のプロジェクター１０１の動作を図７のフローチャートを用いて説明する。
［他のプロジェクターの異常発生を検知したとき］
図７（ａ）に示すように、プロジェクター１０１が通信手段４０への異常発生通知受信などにより、他のプロジェクターに異常が発生したことを検知すると（ステップＳ１０１）、ステップＳ１０２に遷移する。
【００５１】
ステップＳ１０２において制御手段２０は、異常が発生したプロジェクターに対応する、画像の投写範囲情報を投写範囲情報２１ａより、画像の投写位置情報を投写位置情報２１ｂよりそれぞれ取得し、ステップＳ１０３に遷移する。
【００５２】
ステップＳ１０３において制御手段２０は、ステップＳ１０２において取得した画像の投写範囲情報に基づき、プロジェクター１０１の画像の投写をオフするか否かを調べる。画像の投写をオフする場合（ステップＳ１０３：Ｙ）は、ステップＳ１０７に遷移する。画像の投写をオフしない場合（ステップＳ１０３：Ｎ）は、ステップＳ１０４に遷移する。
【００５３】
ステップＳ１０４において制御手段２０は、ステップＳ１０２において取得した画像の投写位置情報に基づき、現在の画像の投写位置を変更するか否かを調べる。画像の投写位置を変更する場合（ステップＳ１０４：Ｙ）は、ステップＳ１０５に遷移する。画像の投写位置を変更しない場合（ステップＳ１０４：Ｎ）は、ステップＳ１０６に遷移する。
【００５４】
ステップＳ１０５において制御手段２０は、ステップＳ１０２において取得した画像の投写位置情報に基づき、画像の投写位置を変更し、ステップＳ１０６に遷移する。具体的には図５の異常発生したプロジェクターに対応した画像の投写位置情報に基づき、現在の投写位置が正面（Ｃ）であり、変更後の位置が１画面分左（Ｌ）である場合、レンズシフト制御手段２８により、画像の投写位置が１画面分左にシフトするように投写レンズ１３の位置を調整する。ステップＳ１０５が投写位置変更ステップに相当する。
【００５５】
ステップＳ１０６において制御手段２０は、ステップＳ１０２において取得した画像の投写範囲情報に基づき、画像の投写範囲を変更し、ステップＳ１１０に遷移する。具体的には、図５に示すように異常発生したプロジェクターに対応した画像の投写範囲情報に基づき、画像信号処理手段１７が画像信号入力手段１８より入力される画像の投写範囲を変更する。例えば読み出した画像投写範囲がＢｂの場合、画像情報を４分割した右上の範囲に設定する。次のステップＳ１１０に遷移する。
【００５６】
ステップＳ１０７において制御手段２０は、光源制御手段２５により光源１１を消灯し、ステップＳ１０８に遷移する。
【００５７】
ステップＳ１０８において制御手段２０は、プロジェクター１０１をスタンバイ状態に移行し、本動作フローを終了する。
【００５８】
ステップＳ１１０において本動作フローを終了する。
【００５９】
［プロジェクター１０１が異常発生を検知したとき］
図７（ｂ）に示すように、制御手段２０は、異常検知手段２９によりプロジェクター１０１に異常発生したことを検知すると（ステップＳ２０１）、ステップＳ２０２に遷移する。
【００６０】
ステップＳ２０２において制御手段２０は通信手段４０によりプロジェクター１０１に異常が発生した旨を他のプロジェクターに通知し、ステップＳ２０３に遷移する。
【００６１】
ステップＳ２０３において制御手段２０は、光源制御手段２５により光源１１を消灯し、ステップＳ２０４に遷移する。
【００６２】
ステップＳ２０４において制御手段２０は、プロジェクター１０１をスタンバイ状態に移行し、本動作フローを終了する。
【００６３】
以上、説明したように、本実施形態のプロジェクターシステム１００によれば、プロジェクター１０１が、他のプロジェクターに異常が発生した場合に、投写範囲情報２１ａ、及び投写位置情報２１ｂに基づき画像情報の投写範囲、及び投写位置を変更して画像投写手段１０により投写を行うので、スタック投写する投写画像の一部が欠落するのを防止することが可能となる。
また、通信手段４０により、他のプロジェクターに異常が発生した旨の通知を受け取ることにより、投写位置、および投写範囲の変更をするよう対処することが可能となる。
【００６４】
また、上記実施形態は、以下のように変更してもよい。
（変形例１）
上記実施形態のプロジェクターシステム１００では例えば９台のプロジェクターでスタック投写していて、１台に異常が発生した場合、他の４台のプロジェクターで画像情報を投写し、残り４台は画像を投写しないようにしているが、異常が発生しておらず、画像情報を投写していないいずれかのプロジェクターにより異常が発生したプロジェクターを示す報知画像を投写するようにしてもよい。
図８に本変形例においてプロジェクター１０５が故障したときの画像の投写状態を示す。
【符号の説明】
【００６５】
１００…プロジェクターシステム、１０１〜１０９…プロジェクター、１０…画像投写手段、１１…光源、１２Ｒ，１２Ｇ，１２Ｂ…液晶ライトバルブ、１３…投写レンズ、１３１…レンズシフト手段、１４…液晶駆動手段、１５…台形歪補正手段、１６…ＯＳＤ処理手段、１７…画像信号処理手段、１８…画像信号入力手段、２０…制御手段、２１…記憶手段、２１ａ…投写範囲情報、２１ｂ…投写位置情報、２３…入力操作手段、２５…光源制御手段、２８…レンズシフト制御手段、２９…異常検知手段、３０…電源端子、３１…電源部、４０…通信手段、１２０…画像信号供給手段、Ｖ１…外部映像機器。
【図１】
2014002343.tif 000003
【図２】
2014002343.tif 000004
【図３】
2014002343.tif 000005
【図４】
2014002343.tif 000006
【図５】
2014002343.tif 000007
【図６】
2014002343.tif 000008
【図７】
2014002343.tif 000009
【図８】
2014002343.tif 000010